(57)【特許請求の範囲】
【請求項１】
眼科用ドレープであって、
患者の顔面の上部を覆うとともに前記患者の目に対応する開口が形成された上部被覆部と、
前記上部被覆部に連続するとともに患者の顔面の下部を覆う下部被覆部と、
前記上部被覆部に固定される保形部材と、
を備え、
前記保形部材が、使用時に前記患者の鼻部から口部に向かって伸びる帯状部材を含み、
前記下部被覆部が、使用前の状態において、前記患者の鼻部または口部に対応する位置にて左右方向に伸びる２本以上の折り畳み線にて折り畳まれた折り畳み部であり、
前記折り畳み部の前記左右方向の両端部において、前記２本以上の折り畳み線のうち少なくとも１本の折り畳み線の両側の部位が互いに接合され、
使用時に、前記折り畳み部の前記左右方向における中央部が展開されて前記患者の鼻下部から左右の頬部に至る空間が形成され、前記保形部材により、前記顔面と前記上部被覆部との間に、前記空間から連続する空間が形成され、
前記折り畳み部の前記中央部の前記左右方向の幅が、３０ｃｍ以上８０ｃｍ以下であることを特徴とする眼科用ドレープ。
【請求項２】
眼科用ドレープであって、
患者の顔面の上部を覆うとともに前記患者の目に対応する開口が形成された上部被覆部と、
前記上部被覆部に連続するとともに患者の顔面の下部を覆う下部被覆部と、
前記上部被覆部に固定される保形部材と、
を備え、
前記保形部材が、使用時に前記患者の鼻部から前記左右の頬部に向かって伸びる２本の帯状部材を含み、
前記下部被覆部が、使用前の状態において、前記患者の鼻部または口部に対応する位置にて左右方向に伸びる２本以上の折り畳み線にて折り畳まれた折り畳み部であり、
前記折り畳み部の前記左右方向の両端部において、前記２本以上の折り畳み線のうち少なくとも１本の折り畳み線の両側の部位が互いに接合され、
使用時に、前記折り畳み部の前記左右方向における中央部が展開されて前記患者の鼻下部から左右の頬部に至る空間が形成され、前記保形部材により、前記顔面と前記上部被覆部との間に、前記空間から連続する空間が形成され、
前記折り畳み部の前記中央部の前記左右方向の幅が、３０ｃｍ以上８０ｃｍ以下であることを特徴とする眼科用ドレープ。
【請求項３】
請求項１または２に記載の眼科用ドレープであって、
使用時に前記保形部材の形状が変更可能であることを特徴とする眼科用ドレープ。
【請求項４】
請求項１ないし３のいずれかに記載の眼科用ドレープであって、
前記保形部材が樹脂により形成されることを特徴とする眼科用ドレープ。
【請求項５】
請求項１ないし４のいずれかに記載の眼科用ドレープであって、
前記２本以上の折り畳み線が４本であることを特徴とする眼科用ドレープ。
【請求項６】
請求項１ないし５のいずれかに記載の眼科用ドレープであって、
前記シート部の少なくとも前記患者の鼻部および口部に対応する部位が通気性を有さないことを特徴とする眼科用ドレープ。
【発明の詳細な説明】
【技術分野】
【０００１】
本発明は、眼科用ドレープに関する。
【背景技術】
【０００２】
従来より、手術室において外科手術等の医療処置が行われる際には、不潔領域と定められる患者の体表を医療用のドレープにて覆い、清潔領域を当該不潔領域から隔離することが行われている。例えば、特許文献１では、眼科手術用ドレープの本体シートに固定された受液ポケットに塑性変形可能な帯状の保形部材を設け、当該保形部材を変形することにより、受液ポケットの開口を開いた状態にて維持する技術が開示されている。
【先行技術文献】
【特許文献】
【０００３】
【特許文献１】特開２００５−６０９０７号公報
【発明の概要】
【発明が解決しようとする課題】
【０００４】
ところで、眼科手術の際には、ドレープにより患者の鼻部や口部が覆われるため、患者が息苦しい思いをする場合がある。特に、通気性が低いドレープや通気性を有さないドレープが利用される場合、患者が息を吸うことによりドレープが鼻部や口部に張り付いてしまい、患者の呼吸が苦しくなってしまう。
【０００５】
本発明は、上記課題に鑑みなされたものであり、眼科用ドレープにて顔面を覆われた患者が容易に呼吸することを目的としている。
【課題を解決するための手段】
【０００６】
請求項１に記載の発明は、眼科用ドレープであって、患者の顔面の上部を覆うとともに前記患者の目に対応する開口が形成された上部被覆部と、前記上部被覆部に連続するとともに患者の顔面の下部を覆う下部被覆部と、前記上部被覆部に固定される保形部材とを備え、前記保形部材が、使用時に前記患者の鼻部から口部に向かって伸びる帯状部材を含み、前記下部被覆部が、使用前の状態において、前記患者の鼻部または口部に対応する位置にて左右方向に伸びる２本以上の折り畳み線にて折り畳まれた折り畳み部であり、前記折り畳み部の前記左右方向の両端部において、前記２本以上の折り畳み線のうち少なくとも１本の折り畳み線の両側の部位が互いに接合され、使用時に、前記折り畳み部の前記左右方向における中央部が展開されて前記患者の鼻下部から左右の頬部に至る空間が形成され、前記保形部材により、前記顔面と前記上部被覆部との間に、前記空間から連続する空間が形成され、前記折り畳み部の前記中央部の前記左右方向の幅が、３０ｃｍ以上８０ｃｍ以下である。
請求項２に記載の発明は、眼科用ドレープであって、患者の顔面の上部を覆うとともに前記患者の目に対応する開口が形成された上部被覆部と、前記上部被覆部に連続するとともに患者の顔面の下部を覆う下部被覆部と、前記上部被覆部に固定される保形部材とを備え、前記保形部材が、使用時に前記患者の鼻部から前記左右の頬部に向かって伸びる２本の帯状部材を含み、前記下部被覆部が、使用前の状態において、前記患者の鼻部または口部に対応する位置にて左右方向に伸びる２本以上の折り畳み線にて折り畳まれた折り畳み部であり、前記折り畳み部の前記左右方向の両端部において、前記２本以上の折り畳み線のうち少なくとも１本の折り畳み線の両側の部位が互いに接合され、使用時に、前記折り畳み部の前記左右方向における中央部が展開されて前記患者の鼻下部から左右の頬部に至る空間が形成され、前記保形部材により、前記顔面と前記上部被覆部との間に、前記空間から連続する空間が形成され、前記折り畳み部の前記中央部の前記左右方向の幅が、３０ｃｍ以上８０ｃｍ以下である。
【０００８】
請求項３に記載の発明は、請求項１または２に記載の眼科用ドレープであって、使用時に前記保形部材の形状が変更可能である。
【００１２】
請求項４に記載の発明は、請求項１ないし３のいずれかに記載の眼科用ドレープであって、前記保形部材が樹脂により形成される。
【００１３】
請求項５に記載の発明は、請求項１ないし４のいずれかに記載の眼科用ドレープであって、前記２本以上の折り畳み線が４本である。
【００１４】
請求項６に記載の発明は、請求項１ないし５のいずれかに記載の眼科用ドレープであって、前記シート部の少なくとも前記患者の鼻部および口部に対応する部位が通気性を有さない。
【発明の効果】
【００１５】
本発明では、患者が容易に呼吸することができる。また、請求項３の発明では、患者の顔面に合わせて呼吸用の空間を形成することができる。
【図面の簡単な説明】
【００１６】
【図１】関連技術に係るドレープの平面図である。
【図２】ドレープの部分断面図である。
【図３】ドレープの平面図である。
【図４】ドレープの側面図である。
【図５】鼻部近傍の図である。
【図６】第１の実施の形態に係るドレープの平面図である。
【図７】ドレープの平面図である。
【図８】ドレープの側面図である。
【図９】第２の実施の形態に係るドレープの平面図である。
【図１０】第３の実施の形態に係るドレープの平面図である。
【図１１】保形部材の斜視図である。
【図１２】関連技術に係るドレープの平面図である。
【図１３】ドレープの部分断面図である。
【図１４】ドレープの側面図である。
【発明を実施するための形態】
【００１７】
図１は、本発明に関連する技術に係る眼科用ドレープ１（以下、単に「ドレープ１」という。）の使用前の状態を示す平面図である。ドレープ１は、滅菌処理が施されたシート状部材であり、手術室や処置室等の医療施設内において手術等の医療処置が行われる患者の顔面等を覆うことにより、不潔領域である患者の体表から清潔領域を隔離する。図１中の左右方向は患者の顔面の左右方向に対応し、図１中の上下方向は患者の顔面の左右方向に垂直な上下方向（すなわち、鼻部が伸びる方向）に対応する。
【００１８】
図１に示すように、ドレープ１は、患者の一方の目に対応する開口２０が形成された略矩形のシート部２、並びに、シート部２の患者側とは反対側の主面２１（すなわち、清潔領域に対向する面であり、以下、「表面２１」という。）に固定された保形部材３および医療用パウチ５を備える。医療用パウチ５は、手術時における術野からの液体（例えば、血液や体液、術野の洗浄に利用された生理食塩水等）を受ける、いわゆる受水袋であり、受液口５１がドレープ１の開口２０を向くように開口２０近傍に両面粘着テープ等で固定される。
【００１９】
シート部２の患者に対向する主面２２（以下、「裏面２２」という。）には、開口２０の周囲に粘着層２３が形成されている。ドレープ１により患者の顔面を覆う際には、医療処置が行われる一方の目に開口２０が重なるようにシート部２が配置され、目がシート部２から露出する。そして、粘着層２３が目の周囲の皮膚に貼付される。これにより、ドレープ１により患者の顔面が覆われた状態で、開口２０を介して処置対象部位である目に容易にアクセスすることができる。
【００２０】
シート部２は、好ましくは、不織布やプラスチックフィルムにより形成される。図１に示す例では、シート部２はプラスチックフィルムにより形成されるため、実質的に通気性を有さない。シート部２をこのような構造とすることにより、シート部２の表面２１に付着した血液等が、シート部２の上から力が加わった場合等にシート部２を通過し、当該血液等によりシート部２の表面２１と裏面２２とが連通してしまう（すなわち、清潔領域と不潔領域との間に当該血液等による通り道が形成されてしまう）ことが防止される。シート部２の厚さは、好ましくは、２００μｍ〜５００μｍである。シート部２の厚さを２００μｍ以上とすることにより、ドレープ１の強度を十分に確保することができ、シート部２の厚さを５００μｍ以下とすることにより、ドレープ１の風合いを柔らかくすることができる。
【００２１】
図２は、ドレープ１を図１中のＡ−Ａの位置にて切断した断面の一部を示す図である。図１および図２に示すように、シート部２は、開口２０の図１中の上側および下側に位置する２つの折り畳み部２４を有する。各折り畳み部２４は、患者の鼻部または口部に対応する位置にて左右方向に伸びる２本の折り畳み線２４１ａ，２４１ｂにて折り畳まれる。各折り畳み部２４では、折り畳み部２４を展開した状態において、折り畳み線２４１ａが折り畳み線２４１ｂよりも開口２０に近い。シート部２では、折り畳み線２４１ａの両側の部位（すなわち、折り畳み線２４１ａが境界となる２つの部位）が裏面２２が対向するように折り返され、折り畳み線２４１ｂの両側の部位が表面２１が対向するように折り返されることにより折り畳み部２４が形成される。換言すれば、折り畳み部２４は、シート部２が裏面２２側に折り重ねられるようにして形成される。
【００２２】
図２に示すように、各折り畳み部２４の折り畳み線２４１ａと折り畳み線２４１ｂとの間ではシート部２が３層に重なっており、当該３つの層（すなわち、折り畳み線２４１ａ，２４１ｂのそれぞれの両側の部位）は、図１中に平行斜線を付して示すように、折り畳み部２４の左右方向の両端部において両面粘着テープ等により互いに接合される。以下の説明では、折り畳み部２４の両端部をそれぞれ「折り畳み端部２４３」という。折り畳み端部２４３における接合は、熱圧着や超音波圧着、または、ホットメルト接着剤による接着により行われてもよい。
【００２３】
一方、折り畳み部２４の左右方向における中央部（すなわち、２つの折り畳み端部２４３の間にて２つの折り畳み端部２４３に連続する部位であり、以下、「折り畳み中央部２４２」という。）では、折り畳み部２４の重ねられた３つの層は接合されない。折り畳み中央部２４２の左右方向の幅は、３０ｃｍ以上８０ｃｍ以下であり、好ましくは、４０ｃｍ以上６０ｃｍ以下である。換言すれば、折り畳み中央部２４２の左右方向の幅は、通常の成人の鼻部９１および口部９３近傍における顔の幅の約２〜５倍である。
【００２４】
保形部材３は、上下方向において開口２０と各折り畳み部２４との間に位置する（すなわち、後述する上部被覆部２５に設けられた）２つの帯状部材３１を備え、各帯状部材３１は、シート部２の左右方向のおよそ中央に配置される。各帯状部材３１は、好ましくは、容易に塑性変形可能な（すなわち、形状が容易に変更可能な）樹脂により形成され、図１に示す例では、ポリエチレン等により形成される。各帯状部材３１は左右方向に伸びる直線状の部材であり、およそ全長に亘ってシート部２の表面２１に粘着テープ等により接合される。帯状部材３１の左右方向の長さは折り畳み中央部２４２の左右方向の長さよりも小さく、折り畳み中央部２４２の左右方向の両端部は、帯状部材３１の両端部よりも左右方向の外側に位置する。ドレープ１の使用前の状態においては、シート部２全体が小さく折り畳まれており（例えば、上下左右に折り畳まれており）、帯状部材３１はおよそ中央において２つ折りにされる。なお、シート部２は、線状かつ平坦な帯状部材３１を変形させることなく、小さく折り畳まれてもよい。
【００２５】
図３は、ドレープ１が患者の顔面９０上に広げられた状態を示す平面図である。図３では、シート部２の開口２０が患者の左目に重なるようにドレープ１が配置され、図３中の下側の帯状部材３１が、患者の鼻部９１上において鼻部９１を横切るように左右方向に伸びる。また、図３中の下側の折り畳み部２４が、患者の鼻下部９１１および口部９３上に配置される。ドレープ１では、当該折り畳み部２４が、患者の顔面９０の下部を覆う下部被覆部であり、２つの折り畳み部２４の間にて２つの折り畳み部２４に連続する部位２５が、患者の顔面９０の上部を覆う上部被覆部２５となっている。折り畳み部２４では、折り畳み中央部２４２の左右方向の中心は、患者の顔面９０の左右方向に垂直な中心線（すなわち、鼻梁を通る線）におよそ一致する。
【００２６】
ドレープ１の使用時には、開口２０の下側の帯状部材３１が患者の顔面９０から離れるように変形されるとともに、下側の折り畳み部２４の折り畳み中央部２４２が患者の顔面９０から離れる方向に引き上げられて広げられる（すなわち、展開される）。図４は、ドレープ１の側面図であり、図５は、患者の鼻部９１近傍を下側（すなわち、口部９３側）から見た図である。図５では、帯状部材３１の位置でのドレープ１の断面を示す。図４に示すように、折り畳み部２４では、折り畳み中央部２４２が展開されることにより、折り畳み中央部２４２が患者の鼻部９１および口部９３から離れる方向に立体的に（すなわち、ドーム状に）突出する。これにより、患者の顔面９０とシート部２との間に、鼻下部９１１および口部９３から左右の頬部９２に至る空間９５１が形成される。また、図５に示すように、帯状部材３１は、左右方向の両端部を除く部位が鼻部９１から離間した状態で形状が維持され、シート部２の上部被覆部２５が患者の鼻部９１およびその近傍から離間する。これにより、図４に示すように、上部被覆部２５と患者の顔面９０との間に、空間９５１から連続する空間９５２が形成される。以下の説明では、シート部２と顔面９０との間の空間９５１，９５２を合わせて空間９５ともいう。
【００２７】
ドレープ１では、使用時における折り畳み中央部２４２の展開により、シート部２が患者の鼻下部９１１、口部９３および頬部９２に密着することなく離間する。折り畳み部２４では、折り畳み中央部２４２の左右方向の幅が３０ｃｍ以上（より好ましくは、４０ｃｍ以上）であるため、折り畳み部２４の展開により十分な大きさの空間９５１を形成することができる。その結果、シート部２の鼻下部９１１、口部９３および頬部９２に対する密着が防止され、空間９５１を介して患者が容易に呼吸することが可能となる。また、折り畳み中央部２４２の左右方向の幅が８０ｃｍ以下（より好ましくは、６０ｃｍ以下）であるため、展開された折り畳み部２４の形状を容易に保持し、空間９５１を容易に維持することができる。
【００２８】
また、ドレープ１では、保形部材３の変形により、空間９５１に連続する空間９５２を鼻部９１上に形成することにより、空間９５を介して患者がより容易に呼吸することが可能となる。保形部材３は、その形状を容易に変更して維持することができるため、様々な患者の顔面形状に合わせて適切な呼吸用の空間９５を容易に形成することができる。さらに、折り畳み中央部２４２の展開により、保形部材３をあまり大きく変形させることなく空間９５を確保することができるため、ドレープ１の使用の際における保形部材３の変形作業を簡素化することができる。
【００２９】
ドレープ１では、保形部材３が、使用時に患者の鼻部９１上において左右方向に伸びる帯状部材３１を備えることにより、シート部２を患者の鼻部９１から確実に離間させることができ、その結果、空間９５がより確実に維持される。さらに、帯状部材３１が上部被覆部２５の開口２０と折り畳み部２４との間に配置されることにより、折り畳み中央部２４２の展開が帯状部材３１により阻害されることが防止される。
【００３０】
このように、ドレープ１は、シート部２と患者の鼻下部９１１、口部９３および頬部９２との密着を防止して患者の呼吸を容易にすることができるため、実質的に通気性を有さないシート部２（少なくとも、患者の鼻部９１および口部９３に対応する部位が通気性を有さないシート部２）を備えるドレープに特に適している。
【００３１】
ドレープ１では、保形部材３が樹脂により形成されるため、主に不織布やプラスチックフィルム等により形成されるシート部２と保形部材３とを分別することなくドレープ１を廃棄することができる。これにより、ドレープ１の廃棄に要する作業を簡素化することができる。
【００３２】
ドレープ１は患者の左右いずれの目の手術にも利用可能であり、患者の右目の手術が行われる場合には、ドレープ１は図３に示す状態からドレープ１に垂直な軸を中心に水平面内にて１８０°回転した状態で患者の顔面９０上に配置される。そして、図３中の上側に位置する帯状部材３１が変形されるとともに上側の折り畳み部２４が下部被覆部となり、当該折り畳み部２４の折り畳み中央部２４２が展開される（以下に説明する他のドレープにおいても同様。）。これにより、上記と同様に、折り畳み部２４が患者の鼻部９１および口部９３から離間してドーム状に突出し、患者の顔面９０とシート部２との間に、鼻下部９１１および口部９３から左右の頬部９２に至る空間９５が形成される。その結果、シート部２が患者の鼻下部９１１、口部９３および頬部９２に密着することが防止され、空間９５を介して患者が容易に呼吸することが可能となる。
【００３３】
次に、本発明の第１の実施の形態に係る眼科用のドレープについて説明する。図６は、第１の実施の形態に係るドレープ１ａを示す平面図である。ドレープ１ａでは、保形部材３ａが、図１に示す２本の帯状部材３１に代えて、図６中の上下方向に直線状に伸びる２本の帯状部材３１ａを備える。ドレープ１ａの他の構成は、図１に示すドレープ１の構成と同様であり、以下の説明では、ドレープ１の各構成に対応する構成に同符号を付す。
【００３４】
各帯状部材３１ａは、シート部２の左右方向のおよそ中央に配置される。図６中において開口２０よりも上側に位置する帯状部材３１ａの下端部は、上部被覆部２５の開口２０と上側の折り畳み部２４との間にてシート部２の裏面２２に接合され（すなわち、固定され）、下端部以外の部位は、シート部２の裏面２２側にて、シート部２に接合されることなく折り畳み部２４を上下方向に横切る。開口２０よりも下側に位置する帯状部材３１ａの上端部は、上部被覆部２５の開口２０と下側の折り畳み部２４との間にてシート部２の裏面２２に接合され、上端部以外の部位は、シート部２の裏面２２側にてシート部２に接合されることなく折り畳み部２４を上下方向に横切る。図６では、図の理解を容易にするために、帯状部材３１ａを細実線にて描いている（図７、図９および図１０においても同様）。ドレープ１ａの使用前の状態においては、図１に示すドレープ１と同様に、シート部２全体が小さく折り畳まれている。
【００３５】
図７は、ドレープ１ａが患者の顔面９０上に広げられた状態を示す平面図である。図７では、シート部２の開口２０が患者の左目に重なるようにドレープ１ａが配置され、図７中の下側の帯状部材３１ａは、患者の顔面９０の左右方向の略中央において患者の鼻部９１から口部９３に向かって上下方向に伸びる。また、図７中の下側の折り畳み部２４が、患者の鼻下部９１１および口部９３上に配置される。本実施の形態では、下側の帯状部材３１ａの上端部は鼻部９１の上下方向の略中央上に位置し、下端部は口部９３よりも下側（より好ましくは、下顎部の輪郭から下側に突出した位置）に位置している。
【００３６】
ドレープ１ａの使用時には、図７中の下側の帯状部材３１ａおよび折り畳み中央部２４２がそれぞれ、図８に示すように変形および展開されて患者の顔面９０から離れる。これにより、図１に示すドレープ１と同様に、患者の顔面９０とシート部２との間に、鼻下部９１１および口部９３から左右の頬部９２に至る空間９５が形成される。その結果、シート部２が患者の鼻下部９１１、口部９３および頬部９２に密着することが防止され、空間９５を介して患者が容易に呼吸することが可能となる。また、保形部材３ａの形状を容易に変更して維持することができるため、様々な患者の顔面形状に合わせて適切な呼吸用の空間９５を容易に形成することができる。ドレープ１ａでは、保形部材３ａが、使用時に患者の鼻部９１から口部９３に向かって伸びる帯状部材３１ａを備えることにより、シート部２を患者の鼻下部９１１、口部９３および頬部９２からより確実に離間させることができ、その結果、空間９５がより確実に維持される。
【００３７】
次に、本発明の第２の実施の形態に係る眼科用のドレープについて説明する。図９は、第２の実施の形態に係るドレープ１ｂを示す平面図である。ドレープ１ｂでは、保形部材３ｂが、図１に示す２本の帯状部材３１に代えて、開口２０近傍から図９中の上下方向および左右方向に対して傾斜する方向（すなわち、略矩形のシート部２の各辺に対して傾斜する方向）にそれぞれ直線状に伸びる４本の帯状部材３１ｂを備える。ドレープ１ｂの他の構成は、図１に示すドレープ１の構成と同様であり、以下の説明では、ドレープ１の各構成に対応する構成に同符号を付す。
【００３８】
図９中において開口２０よりも下側に位置する２本の帯状部材３１ｂの左右方向の間の距離は、図９中の上側から下側に向かうに従って大きくなる。換言すれば、当該２本の帯状部材３１ｂは、上端部が下端部よりも互いに近接したハの字型に配置される。開口２０よりも上側に位置する２本の帯状部材３１ｂは、下端部が上端部よりも互いに近接した逆ハの字型に配置される。各帯状部材３１ｂでは、上下方向に関して開口２０に近い端部が、上部被覆部２５の開口２０と折り畳み部２４との間にてシート部２の裏面２２に接合され、当該端部以外の部位は、シート部２の裏面２２側にてシート部２に接合されることなく折り畳み部２４を上下方向に横切る。ドレープ１ｂの使用前の状態においては、図１に示すドレープ１と同様に、シート部２全体が小さく折り畳まれている。
【００３９】
ドレープ１ｂの使用時には、図９中における開口２０の下側の２本の帯状部材３１ｂが、患者の鼻部９１から左右の頬部９２に向かって（すなわち、口部９３を間に挟んで）伸びるように、ドレープ１ｂが患者の顔面９０上に配置される。本実施の形態では、２本の帯状部材３１ｂの上端部は、鼻部９１の上下方向の略中央の左右両側に位置し、下端部は左右の頬部９２よりも下側（すなわち、下顎部の輪郭から下側に突出した位置）に位置している。
【００４０】
ドレープ１ｂでは、図９中の下側の２本の帯状部材３１ｂおよび折り畳み中央部２４２がそれぞれ変形および展開されて患者の顔面９０から離れる。これにより、図１に示すドレープ１と同様に、患者の顔面９０とシート部２との間に、鼻下部９１１および口部９３から左右の頬部９２に至る空間が形成され、シート部２が患者の鼻下部９１１、口部９３および頬部９２に密着することが防止される。また、ドレープ１ｂでは、保形部材３ｂが、使用時に患者の鼻部９１から左右の頬部９２に向かって伸びる２本の帯状部材３１ｂを備えることにより、シート部２を患者の鼻下部９１１、口部９３および頬部９２からより確実に離間させることができ、その結果、上記空間がより確実に維持される。
【００４１】
次に、本発明の第３の実施の形態に係る眼科用のドレープについて説明する。図１０は、第３の実施の形態に係るドレープ１ｃを示す平面図である。ドレープ１ｃは、図１に示す保形部材３に代えて図１０に示す保形部材３ｃを備える。ドレープ１ｃの他の構成は、図１に示すドレープ１の構成と同様であり、以下の説明では、ドレープ１の各構成に対応する構成に同符号を付す。
【００４２】
図１０に示すように、保形部材３ｃは、開口２０よりも上側の折り畳み部２４に重なる４本の直線状の帯状部材３１ｃを備え、４本の帯状部材３１ｃは格子状に配置されて互いに接合される。上下方向に伸びる２本の帯状部材３１ｃの下端部は、開口２０と折り畳み部２４との間にてシート部２の裏面２２に接合され、当該２本の帯状部材３１ｃの他の部位、および、左右方向に伸びる他の２本の帯状部材３１ｃはシート部２には接合されない。保形部材３ｃは、開口２０よりも下側の折り畳み部２４に重なる４本の直線状の帯状部材３１ｃをさらに備え、当該４本の帯状部材３１ｃも格子状に配置されて互いに接合される。上下方向に伸びる２本の帯状部材３１ｃの上端部は、上部被覆部２５の開口２０と折り畳み部２４との間にてシート部２の裏面２２に接合され、当該２本の帯状部材３１ｃの他の部位、および、左右方向に伸びる他の２本の帯状部材３１ｃはシート部２には接合されない。ドレープ１ｃの使用前の状態においては、図１に示すドレープ１と同様に、シート部２全体が小さく折り畳まれている。
【００４３】
ドレープ１ｃが使用される際には、患者の鼻部９１および口部９３に重なる折り畳み部２４の折り畳み中央部２４２が展開されるとともに、当該折り畳み部２４と重なる４本の帯状部材３１ｃの形状が、図１１に示すように、中央部３１５が患者の顔面から離れる方向に突出するドーム状とされる。そして、この状態で保形部材３ｃの形状が維持されることにより、図１に示すドレープ１と同様に、患者の顔面９０とシート部２との間に、鼻下部９１１および口部９３から左右の頬部９２に至る空間が形成され、シート部２が患者の鼻下部９１１、口部９３および頬部９２に密着することが防止される。
【００４４】
次に、本発明に関連する技術に係る他のドレープについて説明する。図１２は、他の関連技術に係るドレープ１ｄの使用前の状態を示す平面図であり、図１３はドレープ１ｄを図１２中のＢ−Ｂの位置にて切断した断面の一部を示す図である。ドレープ１ｄは、図１および図２に示す折り畳み部２４とは構造が異なる折り畳み部２４ａを備える。ドレープ１ｄの他の構成は、図１に示すドレープ１の構成と同様であり、以下の説明では、ドレープ１の各構成に対応する構成に同符号を付す。
【００４５】
図１２および図１３に示すように、上部被覆部２５において開口２０の上下に位置する２つの折り畳み部２４ａはそれぞれ、患者の鼻部または口部に対応する位置にて左右方向に伸びる４本の折り畳み線２４１ａ〜２４１ｄにて折り畳まれる。各折り畳み部２４ａでは、折り畳み部２４ａを展開した状態において、折り畳み線２４１ａが開口２０に最も近く、開口２０から離れる方向に折り畳み線２４１ｂ，２４１ｃ，２４１ｄが順に配列される。シート部２では、折り畳み線２４１ａの両側の部位が裏面２２が対向するように折り返され、折り畳み線２４１ｂの両側の部位が表面２１が対向するように折り返され、折り畳み線２４１ｃの両側の部位が裏面２２が対向するように折り返され、さらに、折り畳み線２４１ｄの両側の部位が表面２１が対向するように折り返されることにより折り畳み部２４ａが形成される。すなわち、折り畳み部２４ａは、図１に示すドレープ１と同様に、シート部２が裏面２２側に折り重ねられるようにして形成される。
【００４６】
図１３に示すように、各折り畳み部２４ａの折り畳み線２４１ａと折り畳み線２４１ｂとの間、および、折り畳み線２４１ｃと折り畳み線２４１ｄとの間ではシート部２が３層に重なっており、当該３つの層（すなわち、折り畳み線２４１ａ〜２４１ｄのそれぞれの両側の部位）は、図１２中に平行斜線を付して示す折り畳み端部２４３において両面粘着テープ等により互いに接合される。一方、折り畳み部２４ａの折り畳み中央部２４２では、折り畳み部２４ａの重ねられた３つの層は接合されない。折り畳み中央部２４２の左右方向の幅は、３０ｃｍ以上８０ｃｍ以下であり、好ましくは、４０ｃｍ以上６０ｃｍ以下である。
【００４７】
ドレープ１ｄの使用時には、図１に示すドレープ１と同様に、開口２０の下側の帯状部材３１が患者の顔面から離れるように変形されるとともに、下側の折り畳み部２４ａの折り畳み中央部２４２が患者の顔面から離れる方向に引き上げられて広げられる（すなわち、展開される）。図１４は、ドレープ１ｄの側面図である。図１４に示すように、折り畳み部２４ａでは、折り畳み中央部２４２が展開されることにより、折り畳み中央部２４２が患者の鼻部９１および口部９３から離れる方向に立体的に（すなわち、ドーム状に）突出する。これにより、患者の顔面９０とシート部２との間に、鼻下部９１１および口部９３から左右の頬部９２に至る空間９５１が形成される。また、帯状部材３１の変形により、シート部２の上部被覆部２５が患者の鼻部９１およびその近傍から離間し、上部被覆部２５と患者の顔面９０との間に、空間９５１から連続する空間９５２が形成される。
【００４８】
ドレープ１ｄでは、使用時における折り畳み中央部２４２の展開により、シート部２が患者の鼻下部９１１、口部９３および頬部９２に密着することなく離間する。折り畳み部２４ａでは、折り畳み中央部２４２の左右方向の幅が３０ｃｍ以上（より好ましくは、４０ｃｍ以上）であるため、折り畳み部２４ａの展開により十分な大きさの空間９５１を形成することができる。その結果、シート部２の鼻下部９１１、口部９３および頬部９２に対する密着が防止され、空間９５１を介して患者が容易に呼吸することが可能となる。また、折り畳み中央部２４２の左右方向の幅が８０ｃｍ以下（より好ましくは、６０ｃｍ以下）であるため、展開された折り畳み部２４ａの形状を容易に保持し、空間９５１を容易に維持することができる。さらに、折り畳み部２４ａにおいて４本の折り畳み線２４１ａ〜２４１ｄにてシート部２が折り畳まれることにより、折り畳み部２４ａを展開した際に空間９５１をより大きくすることができる。ドレープ１ｄでは、保形部材３の変形により、空間９５１に連続する空間９５２を鼻部９１上に形成することにより、空間９５を介して患者がより容易に呼吸することが可能となる。
【００４９】
以上、本発明の実施の形態および関連技術について説明してきたが、本発明は様々な変更が可能である。
【００５０】
第１の実施の形態および上記関連技術に係るドレープでは、保形部材は、上述の２本の帯状部材を含むのであれば他の部材を備えていてもよい。第２の実施の形態に係るドレープ１ｂでは、保形部材３ｂは、上述の４本の帯状部材３１ｂを含むのであれば他の部材を備えていてもよい。上記関連技術に係るドレープでは、保形部材３はシート部２の裏面２２に接合されてもよい。関連技術に係るドレープでは、保形部材は必ずしも帯状部材を含む必要はなく、例えば、使用時に形状が変更可能（すなわち、塑性変形可能）な直線状や曲線状の線状部材が保形部材として利用されてもよい。保形部材は、折り畳み部の展開を妨げないのであれば、折り畳み部に固定されてもよい。さらには、関連技術に係るドレープでは、患者の顔面９０とシート部２との間に十分な空間を形成し、患者が容易に呼吸することが可能な場合には、保形部材は省略されてもよい。
【００５１】
上記実施の形態および関連技術に係るドレープでは、折り畳み部は、シート部２が表面２１側に折り重ねられるようにして形成されてもよい。すなわち、折り畳み部を展開した状態において開口２０から数えて奇数番目の折り畳み線の両側の部位が表面２１が対向するように折り返され、偶数番目の折り畳み線の両側の部位が裏面２２が対向するように折り返される。図１２に示すドレープ１ｄでは、折り畳み部２４ａは、折り畳み線２４１ａの両側の部位が表面２１が対向するように折り返され、折り畳み線２４１ｂの両側の部位が裏面２２が対向するように折り返され、折り畳み線２４１ｃの両側の部位が裏面２２が対向するように折り返され、さらに、折り畳み線２４１ｄの両側の部位が表面２１が対向するように折り返されることにより形成されてもよい。また、折り畳み部２４ａは、折り畳み線２４１ａの両側の部位が裏面２２が対向するように折り返され、折り畳み線２４１ｂの両側の部位が表面２１が対向するように折り返され、折り畳み線２４１ｃの両側の部位が表面２１が対向するように折り返され、さらに、折り畳み線２４１ｄの両側の部位が裏面２２が対向するように折り返されることにより形成されてもよい。このように、折り畳み部２４は、シート部２が２本、あるいは、それ以上の本数の折り畳み線により折り畳まれることにより形成されていればよい。また、折り畳み端部２４３では、２本以上の折り畳み線のうち少なくとも１本の折り畳み線の両側の部位が互いに接合されていればよい。
【００５２】
上述のドレープでは、使用前にドレープを小さく折り畳むことができるのであれば、保形部材は必ずしも線状または平坦でなくてもよく、一般的な患者の顔面に合わせることができるのであれば、保形部材の形状は変更不能であってもよい。ドレープでは、保形部材が樹脂以外の材料（例えば、アルミニウム（Ａｌ）等の金属）により形成されている場合であっても、患者が容易に呼吸することが可能となる。また、ドレープでは、患者の両目に対応する２つの開口がシート部２に形成されてもよく、この場合、２つの開口の下側にのみ保形部材および折り畳み部が設けられる。
【符号の説明】
【００５３】
１，１ａ〜１ｄ    ドレープ
２    シート部
３，３ａ〜３ｃ    保形部材
２０    開口
２４，２４ａ    折り畳み部
３１，３１ａ〜３１ｃ    帯状部材
９０    顔面
９１    鼻部
９２    頬部
９３    口部
９５    空間
２４１ａ〜２４１ｄ    折り畳み線
２４２    折り畳み中央部
９１１    鼻下部
【図１】
0005613459.tif 000002
【図２】
0005613459.tif 000003
【図３】
0005613459.tif 000004
【図４】
0005613459.tif 000005
【図５】
0005613459.tif 000006
【図６】
0005613459.tif 000007
【図７】
0005613459.tif 000008
【図８】
0005613459.tif 000009
【図９】
0005613459.tif 000010
【図１０】
0005613459.tif 000011
【図１１】
0005613459.tif 000012
【図１２】
0005613459.tif 000013
【図１３】
0005613459.tif 000014
【図１４】
0005613459.tif 000015